(57)【要約】【課題】携帯装置の表示方式によらず、画像を表示することを可能とすること。【解決手段】本発明は、表示部を有する携帯装置１０を脱着可能な電子装置１００であって、再生される画像データの画像方式を検出するデータ方式検出手段２０２と、携帯装置１０の表示可能な画像方式を検出する表示方式検出手段２０４と、データ方式検出手段２０２が検出した画像方式と、表示方式検出手段２０４が検出した画像方式と、が異なる場合、画像データの画像方式を携帯装置１０で表示可能な画像方式に変換して携帯装置１０に送信する画像処理部２００と、を具備する電子装置及び電子システムである。【選択図】図９
2008306411.tif 000002
【特許請求の範囲】
【請求項１】
表示部を有する携帯装置を脱着可能な電子装置であって、
再生される画像データの画像方式を検出するデータ方式検出手段と、
前記携帯装置の表示可能な画像方式を検出する表示方式検出手段と、
前記データ方式検出手段が検出した画像方式と、前記表示方式検出手段が検出した画像方式と、が異なる場合、前記画像データの画像方式を前記携帯装置で表示可能な画像方式に変換して前記携帯装置に送信する画像処理部と、を具備することを特徴とする電子装置。
【請求項２】
前記画像方式は、ＮＴＳＣ方式またはＰＡＬ方式であることを特徴とする請求項１記載の電子装置。
【請求項３】
前記携帯装置は携帯ナビゲーション装置であることを特徴とする請求項１または２記載の電子装置。
【請求項４】
表示部を有し、電子装置に脱着可能な携帯装置であって、
入力または再生される画像データの画像方式を検出するデータ方式検出手段と、
前記携帯装置の表示可能な画像方式を検出する表示方式検出手段と、
前記データ方式検出手段が検出した画像方式と、前記表示方式検出手段が検出した画像方式と、が異なる場合、前記画像データの画像方式を前記携帯装置で表示可能な画像方式に変換して前記携帯装置に送信する画像処理部と、を具備することを特徴とする携帯装置。
【請求項５】
表示部を有する携帯装置と、該携帯装置を脱着可能な電子装置とを有する電子システムであって、
入力または再生される画像データの画像方式を検出するデータ方式検出手段と、
前記携帯装置の表示可能な画像方式を検出する表示方式検出手段と、
前記データ方式検出手段が検出した画像方式と、前記表示方式検出手段が検出した画像方式と、が異なる場合、前記画像データの画像方式を前記携帯装置で表示可能な画像方式に変換して前記携帯装置に送信する画像処理部と、を具備することを特徴とする電子システム。
【発明の詳細な説明】
【技術分野】
【０００１】
本発明は、電子装置、携帯装置及び電子システムに関し、特に表示部を有する携帯装置を装着脱可能な電子装置、表示部を有する携帯装置、及び表示部を有する携帯装置と該携帯装置を着脱可能な電子装置とで構成される電子システムに関する。
【背景技術】
【０００２】
従来のナビゲーション装置として、パーソナルナビゲーションデバイスと呼ばれる、簡易的ではあるが可搬性を持った小型のポータブルナビゲーション装置（以下、ポータブルナビと呼ぶ）と、車両のダッシュボードに形成された凹部（ＤＩＮ開放）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１及び特許文献２には、車載機器からＣＤユニットを着脱可能とする構成が開示されている。特許文献３及び特許文献４には、車両に搭載された車載機器からナビゲーション部を着脱可能とする構成が開示されている。車載機器からナビゲーション部を取り外すことで、ナビゲーション部をポータブルナビとして単体で使用することが可能となる。また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００５】
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００６】
表示部を有する表示携帯装置（例えばポータブルナビ）を車載機器に装着して、車載機器が有する例えばＤＶＤ（Ｄｉｇｉｔａｌ  Ｖｅｒｓａｔｉｌｅ  Ｄｉｓｃ）再生部等の再生した画像を、表示携帯装置の表示部で観賞する場合がある。標準テレビ放送やＤＶＤの画像方式には、主に米国や日本で用いられているＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式、主に欧州で用いられているＰＡＬ（Ｐｈａｓｅ  Ａｌｔｅｒｎａｔｉｏｎ  ｂｙ  Ｌｉｎｅ）方式がある。例えば、ＤＶＤから再生した画像データの画像方式（これをデータ方式という）と表示携帯装置において表示可能な画像方式（これを表示方式という）とが異なる場合、画像を表示携帯装置に表示することができない。このように、表示方式が異なる表示携帯装置を車載機器に装着しても画像を表示携帯装置に表示することができない。
【０００７】
本発明は、上記課題に鑑みなされたものであり、携帯装置の表示方式によらず、画像を表示することを可能とすることを目的とする。
【課題を解決するための手段】
【０００８】
本発明は、表示部を有する携帯装置を脱着可能な電子装置であって、再生される画像データの画像方式を検出するデータ方式検出手段と、前記携帯装置の表示可能な画像方式を検出する表示方式検出手段と、前記データ方式検出手段が検出した画像方式と、前記表示方式検出手段が検出した画像方式と、が異なる場合、前記画像データの画像方式を前記携帯装置で表示可能な画像方式に変換して前記携帯装置に送信する画像処理部と、を具備することを特徴とする電子装置である。本発明によれば、携帯装置の表示方式によらず、携帯装置は画像を表示することができる。よって、本発明の電子機器には、表示方式に関係なく携帯装置を装着することができる。
【０００９】
上記構成において、前記画像方式は、ＮＴＳＣ方式またはＰＡＬ方式である構成とすることができる。さらに、前記表示携帯装置は携帯ナビゲーション装置である構成とすることができる。
【００１０】
本発明は、表示部を有し、電子装置に脱着可能な携帯装置であって、入力または再生される画像データの画像方式を検出するデータ方式検出手段と、前記携帯装置の表示可能な画像方式を検出する表示方式検出手段と、前記データ方式検出手段が検出した画像方式と、前記表示方式検出手段が検出した画像方式と、が異なる場合、前記画像データの画像方式を前記携帯装置で表示可能な画像方式に変換して前記携帯装置に送信する画像処理部と、を具備することを特徴とする携帯装置である。本発明によれば、携帯装置の表示方式によらず、携帯装置は画像を表示することができる。よって、本発明の携帯装置は、表示方式に関係なく電子機器に装着することができる。
【００１１】
本発明は、表示部を有する携帯装置と、該携帯装置を脱着可能な電子装置とを有する電子システムであって、入力または再生される画像データの画像方式を検出するデータ方式検出手段と、前記携帯装置の表示可能な画像方式を検出する表示方式検出手段と、前記データ方式検出手段が検出した画像方式と、前記表示方式検出手段が検出した画像方式と、が異なる場合、前記画像データの画像方式を前記携帯装置で表示可能な画像方式に変換して前記携帯装置に送信する画像処理部と、を具備することを特徴とする電子システムである。本発明によれば、携帯装置の表示方式によらず、携帯装置は画像を表示することができる。よって、電子機器には、表示方式に関係なく携帯装置を装着することができる。
【発明の効果】
【００１２】
本発明によれば、携帯装置の表示方式によらず、携帯装置は画像を表示することができる。よって、電子機器には、表示方式に関係なく携帯装置を装着することができる。
【発明を実施するための最良の形態】
【００１３】
以下に、図面を用い実施例について説明する。
【実施例１】
【００１４】
図１（Ａ）、（Ｂ）に電子装置の一例である車載システム１（電子システム）の外観を示す。図１（Ａ）、（Ｂ）に示すように車載システム１は、車両に搭載される車載機器１００（電子装置）と、ナビゲーション機能を備えたポータブル機器１０（携帯装置）とから構成される。ポータブル機器１０は、図１（Ａ）に示すように車載機器１００の前面部１２０に取り付けて使用したり、図１（Ｂ）に示すように車載機器１００から取り外して使用することができる。このように、ポータブル機器１０は車載機器１００から着脱自在であり、車載機器１００にはポータブル機器１０を装着可能である。
【００１５】
車載機器１００は、ラジオ放送やＴＶ放送の再生機能や、ＤＶＤ、ＣＤ（Ｃｏｍｐａｃｔ  Ｄｉｓｃ）等の記録媒体に書き込まれた音楽データを再生可能な機器であり、ＤＶＤ／ＣＤ再生部やＤＶＤ／ＣＤ挿排口を有する車載機器本体部１１０と、表示部１３１や操作部１３２を有する前面部１２０とを備えている。ポータブル機器１０は、目的地までの誘導経路を検索し、地図上に検索した誘導経路を重ねて表示するナビゲーションの機能を備えている。
【００１６】
図２は、ポータブル機器１０を車載機器１００（前面部１２０）から取り外した状態を示す。車載機器１００の前面部１２０には、ポータブル機器１０を装着するための凹部が形成された着脱部１７０が設けられている。着脱部１７０の上面は開放されている。この着脱部１７０には、車載機器１００とポータブル機器１０とを電気的に接続するためのコネクタ１５０と、ポータブル機器１０を前面部１２０に固定するためのロック機構（不図示）が設けられている。前面部１２０に設けた取り外しボタン１６０を操作すると、不図示のロック機構が解除され、車載機器１００からポータブル機器１０が取り外し可能となる。
【００１７】
図３には、前面部１２０を車載機器本体部１１０に対して傾斜させ、ＤＶＤ／ＣＤ挿排口１８０を露出させた状態を示す。不図示の駆動機構によって図３に示すスライダー１８１を駆動させることで、前面部１２０を車載機器本体部１１０に対してチルト（変位）させることができる。チルト動作によって、車載機器本体部１１０に設けられたＤＶＤ／ＣＤ挿排口１８０を露出させ、ＤＶＤまたはＣＤの挿排を行うことができる。車載機器の前面部１２０には、操作ボタン（図６に示すチルト／イジェクトボタン１３２ａ）が設けられており、このボタンの操作に応じたチルト角度に設定することができる。
【００１８】
図４は、車載システム１の車両への搭載例を示す。車載システム１は、例えば図４に示すように、運転席５２と助手席５１とのほぼ中央のダッシュボード部分に配置される。なお、図示していないが、後述するＧＰＳ情報受信部１３３のＧＰＳアンテナは、ダッシュボード上に配置、またはフロントガラスの車室内側に貼り付けられている。
【００１９】
図５は、車載システム１の概略構成を示すブロック図である。車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を接続することで、車載機器１００とポータブル機器１０との間で各種信号が送受信されて車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２０】
車載機器１００は、表示部１３１、操作部１３２、ＧＰＳ情報受信部１３３、ラジオ受信部１３４、ＤＶＤ／ＣＤ再生部１３５、音声調整部１３６、メモリ１３７、マイク１３８、外部音声／映像入力部１３９、制御部１４０、コネクタ１５０を備えている。車載機器１００は、エンジンキーがＡｃｃ又はＯＮの位置にあるときに、車両側のバッテリから電力を供給されて動作する。
【００２１】
以下、各部の機能の詳細について説明する。表示部１３１は、液晶パネルやバックライトを備え、１３セグメント表示によって受信放送周波数、再生楽曲トラックＮｏ、再生楽曲名等を表示する。操作部１３２は、車載機器１００の動作モードを切り替えるための操作や、切り替えた各種モードでの操作を行うためのものである。操作部１３２には、図６に示すようにチルト／イジェクトボタン１３２ａ、ファンクション（以下、ＦＵＮＣと表記する）／ＡＦボタン１３２ｂ、ＴＥＸＴボタン１３２ｃ、ＳＣＲＥＥＮボタン１３２ｄ、ＳＯＵＲＣＥ／ＰＷＲボタン１３２ｅ、ＭＯＤＥボタン１３２ｆ、ＭＵＴＥボタン１３２ｇ、ＢＡＮＤ切換ボタン１３２ｈ、ロータリーボタン１３２ｉ、十字キー／エンターキーボタン１３２ｊとからなるボタン群を備える。
【００２２】
ここで、ボタン群の操作による制御について説明する。まず、ＳＯＵＲＣＥ／ＰＷＲボタン１３２ｅの操作によるポータブル機器１０と車載機器１００の表示の切り替えについて説明する。車載機器１００のＳＯＵＲＣＥ／ＰＷＲボタン１３２ｅを押下することで、車載機器１００がオンされる。また車載機器１００がオンしているときに、ＳＯＵＲＣＥ／ＰＷＲボタン１３２ｅを短押しすることでＣＤ再生、ＤＶＤ再生やラジオ、ＴＶ等のソースの移行が行われる。このとき、車載機器１００の表示部１３１には、選択されたソースにおける情報が表示され、ポータブル機器１０の表示部１１には、ソースに関係なくナビゲーション画像が表示される。次に、ＳＣＲＥＥＮボタン１３２ｄを押下すると、ポータブル機器１０の表示部１１の表示をナビゲーション画像から車載機器１００で選択されたソースに対応する画像に切替えることができる。
【００２３】
図７（Ａ）は車載機器１００でＣＤを再生中にポータブル機器１０を装着し、ポータブル機器１０でナビゲーション画像を表示している状態を示している。図７（Ａ）の状態から、ＳＯＵＲＣＥ／ＰＷＲボタン１３２ｅを押下して、ＣＤ再生からラジオのソースに切換操作を行うと、図７（Ｂ）に示すように、表示部１３１にラジオソースにおける情報が表示される。また、ポータブル機器１０の表示部１１には、ナビゲーション画像が表示されたままである。次に、ユーザがＳＣＲＥＥＮボタン１３２ｄを押下すると、図７（Ｃ）に示すようにポータブル機器１０の表示部１１に、車載機器１００で処理中のソースに対応する画面が表示される（図７（Ｃ）ではラジオ画像）。ポータブル機器１０の表示部１１には、後述するタッチパネルが設けられており、ユーザはタッチパネルを介して表示部１１に表示される操作ボタンを選択することで、現在処理中のソースに対する操作をすることができる。
【００２４】
また、表示部１１にラジオ画像が表示された状態で、ＳＣＲＥＥＮボタン１３２ｄを押下すると、図７（Ｄ）に示すようにラジオ画像からナビゲーション画像に戻ることができる。ポータブル機器１０が車載機器１００から取り外されている状態では、ＳＣＲＥＥＮボタン１３２ｄの操作は無効となる。また、ポータブル機器１０が車載機器１００から取り外されている状態で、外部音声／映像入力部１３９にＵＳＢ（Ｕｎｉｖｅｒｓａｌ  Ｓｅｒｉａｌ  Ｂｕｓ）等が接続された場合には、ＳＯＵＲＣＥ／ＰＷＲボタン１３２ｅを押下しても、ＵＳＢのソースには切り替わらないようにすることもできる。
【００２５】
次に、チルト／イジェクトボタン１３２ａの操作による前面部１２０のチルト動作について説明する。チルト／イジェクトボタン１３２ａが第１の態様（例えば、短押し）で操作されると、前面部１２０は、ＤＶＤ／ＣＤ挿排口１８０が露出する角度（例えば、６０°）まで、前面部１２０がチルトされ、第２の態様（例えば、長押し）で操作されると、所定角度（例えば、５°）ずつ前面部１２０がチルトする。
【００２６】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。なお、ＧＰＳ情報受信部１３３で受信したＧＰＳ信号を制御部１４０を介さずに、制御部２０を介してポータブル機器１０のナビゲーション部に出力するようにしてもよい。また、ＧＰＳ情報受信部１３３をＧＰＳアンテナのみで構成し、ＧＰＳアンテナで受信したＧＰＳ信号を、制御部１４０、制御部２０を介さず、後述するＧＰＳ情報受信部１３のチューナに出力するようにしてもよい。さらに、制御部２０は介するが、制御部１４０を介さずＧＰＳ情報受信部１３のチューナに出力するようにしてもよい。このように、適宜変更可能である。
【００２７】
ラジオ／ＴＶ受信部１３４は、アンテナとチューナ部とを有しており、ＡＭ放送、ＦＭ放送、多重放送、ＴＶ放送等の放送波を受信して、音声信号、画像データ、多重データの受信、復調を行い、復調信号を制御部１４０に出力する。ＤＶＤ／ＣＤ再生部１３５は、ＤＶＤまたはＣＤに記録されたデータを再生し、再生信号を制御部１４０に出力する。なお、ラジオ／ＴＶ受信部１３４から出力される復調信号を制御部１４０を介さずに、後述する音声調整部１３６に出力するようにしてもよい。
【００２８】
音声調整部１３６は、ラジオ／ＴＶ受信部１３４で受信、復調された音声信号や、ＤＶＤ／ＣＤ再生部１３５で再生された音声信号に、音量調整や音質調整等の信号処理をしてスピーカ１４５に出力する。メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。マイク１３８は、ハンズフリー通話を行うためのものであって、車室内のユーザの音声を取り込む。外部音声／映像入力部１３９は、ＵＳＢメモリや、携帯型オーディオ装置等の外部機器との接続端子を備え、外部機器からの音声信号やデータを入力して制御部１４０に送り、制御部１４０からの制御信号、音声信号やデータ等を接続した外部機器に出力する。
【００２９】
制御部１４０は、操作部１３２の操作に従って、ラジオ／ＴＶ受信部１３４、ＤＶＤ／ＣＤ再生部１３５、音声調整部１３６などを制御する。また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。なお、マイク１３８で入力された音声信号を、制御部１４０を介さずに、コネクタ１５０を介してポータブル機器１０に出力してもよい。また、制御部１４０は、ポータブル機器１０と接続された携帯電話からの通話音声をコネクタ１５０を介して入力し、音声調整部１３６を介してスピーカ１４５に出力する。さらに、制御部１４０は、ポータブル機器１０の表示部１１に表示される、各種モードのメニュー画像に対する操作信号をポータブル機器１０の制御部２０から取得し、ラジオ／ＴＶ受信部１３４やＤＶＤ／ＣＤ再生部１３５の制御を行う。
【００３０】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。なお、車速パルスが入力されない構成でもよい。
【００３１】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、ビデオキャプチャ回路２１、コネクタ３０を備えている。
【００３２】
以下、各部の機能の詳細について説明する。表示部１１は、液晶パネルとバックライトとを備え、ナビゲーション部１９で生成された地図情報や目的地までの誘導経路情報、また車載機器１００から転送された受信放送周波数、再生楽曲トラックＮｏ、再生楽曲名、ＴＶ画像、ＤＶＤ画像等を表示することができる。画像データは、ビデオキャプチャ回路２１を介し制御部２０に入力する。表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００３３】
操作部１２は、タッチパネルや、ポータブル機器１０の電源をオン、オフするための電源ボタン５５（図８（Ａ）参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００３４】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自機位置が割り出される。なお、車載機器１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００３５】
スピーカ１４は、ナビゲーション部１９からの音声情報を出力するためのものであり、ポータブル機器１０が車載機器１００から取り外された状態、つまり単体で使用されるときに、音声情報を出力する。
【００３６】
蓄電池１５は、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット（図８（Ａ）参照）を介して接続端末から電力の供給を受けて、蓄電池１５を充電することができる。
【００３７】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００３８】
メモリ１８は、例えば読み出しと書き込みとが可能なＲＡＭであり、各制御のために読み出された情報を一時的に記憶しておく。
【００３９】
ナビゲーション部１９は、ナビゲーションのために利用される地図情報を記憶した後述するＳＤカードやＵＳＢメモリから取得し、記憶する地図情報記憶部を備え、ＧＰＳ情報受信部１３３、又は１３からのＧＰＳ信号によって現在位置情報を割り出し、ナビゲーション動作のための画像を作成する。作成した地図は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。なお、地図情報はポータブル機器１０内に保持してもよい。
【００４０】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画像やコンテンツ画像に対する操作信号をコネクタ３０を介して車載機器１００の制御部１４０に出力する。制御部１４０は、ポータブル機器１０の制御部２０から送られた操作信号に応じて、ラジオ／ＴＶ受信部１３４やＤＶＤ／ＣＤ再生部１３５を制御する。
【００４１】
図８（Ａ）に、ポータブル機器１０の正面図、上面図、下面図、左側面図、右側面図を示し、図８（Ｂ）にポータブル機器１０の背面図を示す。ポータブル機器１０の上面には、ポータブル機器の電源をオン、オフさせる電源ボタン５５が設けられており、下面には、ＳＤ（Ｓｅｃｕｒｅ  Ｄｉｇｉｔａｌ）メモリカードスロット５６、ＵＳＢスロット５７が設けられている。地図情報が記憶されたＳＤカードやＵＳＢメモリをこれらのスロットに差し込むことで、制御部２０はＳＤカードやＵＳＢメモリから地図情報を読み出し、ナビゲーション部１９に地図情報を出力する。
【００４２】
ポータブル機器１０の電源は、ポータブル機器を車載機器１００に装着したときには、車載機器１００からの制御によって電源がオン、オフされる。また、車載機器１００から取り外してポータブル機器１０を単体で使用する場合には、電源ボタン５５のオン、オフ操作に基づいて電源が操作される。
【００４３】
さらに、ポータブル機器１０の背面側には、車載機器１００との電気的な接続をとるためのコネクタ３０と、車載機器１００側に設けたロック機構（不図示）と係合する係合部５８とが設けられている。
【００４４】
以下に、実施例１の詳細について説明する。図９は、車載機器１００の制御部１４０を中心に、図５から主要なブロックを抜き出し、詳細に記載したブロック図である。図９を参照に、制御部１４０は画像処理部２００（画像処理手段）、表示方式検出部２０４（表示方式検出手段）及びデータ方式検出部２０２（データ方式検出手段）を有している。表示方式検出部２０４は、ポータブル機器１０に表示可能な画像方式を検出し、表示方式情報を画像処理部２００に出力する。データ方式検出部２０２は例えばＤＶＤ再生画像データから、データ方式を検出し、データ方式情報を画像処理部２００に出力する。画像処理部２００は表示方式情報及びデータ方式情報に基づき、画像データを変換または変換せずポータブル機器１０に送信する。
【００４５】
図１０は制御部１４０の行う制御を示すフローチャートである。図１０を参照に、ポータブル機器１０が装着され、かつ画像データが制御部１４０に入力されると、表示方式検知部２０４はポータブル機器１０の制御部２０に表示方式がＮＴＳＣ方式かＰＡＬ方式かの情報（表示方式情報）を要求し、ポータブル機器１０の表示方式情報を表示方式検知部２０４より取得する（ステップＳ１０）。制御部２０は、制御部１４０から表示方式情報の要求を受けると、例えば不揮発性メモリ等のメモリ１８から表示方式情報を読み出し、表示方式情報を表示方式検知部２０４に送信する。表示方式検知部２０４は表示方式情報を画像処理部２００に出力する。これにより、画像処理部２００は、ポータブル機器１０の表示方式情報を表示方式検知部２０４より取得できる。
【００４６】
画像データが制御部１４０に入力されると、データ方式検出部２０２は、画像データより、データ方式がＮＴＳＣ方式かＰＡＬ方式かを検出する。データ方式検出部２０２は、データ方式がＮＴＳＣ方式かＰＡＬ方式かの情報（データ方式情報）を画像処理部２００に出力する。これにより、画像処理部２００は、画像データのデータ方式情報をデータ方式検知部２０２より取得する（ステップＳ１２）ことができる。
【００４７】
画像処理部２００は、表示方式情報に基づき、表示方式がＮＴＳＣ方式、ＰＡＬ方式、またはＮＴＳＣ方式及びＰＡＬ方式とも可能か、を判断する（ステップＳ１４）。表示方式がＮＴＳＣ方式の場合、画像処理部２００はデータ方式情報に基づき画像データのデータ方式がＮＴＳＣ方式かＰＡＬ方式かを判断する（ステップＳ１６）。データ方式がＰＡＬ方式の場合、画像処理部２００は画像データをＮＴＳＣ方式に変換し（ステップＳ１８）、画像データをポータブル機器１０に送信する（ステップＳ３０）。ステップＳ１６においてデータ方式がＮＴＳＣ方式の場合、画像処理部２００は画像データのデータ方式を変換せず（ステップＳ２０）、ＮＴＳＣ方式のままポータブル機器１０に送信する（ステップＳ３０）。
【００４８】
ステップＳ１４においてＰＡＬ方式の場合、画像処理部２００はデータ方式情報に基づき画像データのデータ方式がＮＴＳＣ方式かＰＡＬ方式かを判断する（ステップＳ２２）。データ方式がＮＴＳＣ方式の場合、画像処理部２００は画像データをＰＡＬ方式に変換し（ステップＳ２４）、画像データをポータブル機器１０に送信する（ステップＳ３０）。ステップＳ２２においてデータ方式がＰＡＬ方式の場合、画像処理部２００は画像データを変換せず（ステップＳ２６）、ＰＡＬ方式のままポータブル機器１０に送信する（ステップＳ３０）。
【００４９】
ステップＳ１４においてポータブル機器１０の表示がＮＴＳＣ方式及びＰＡＬ方式いずれでも可能な場合、画像処理部２００は画像データを変換せず（ステップＳ２８）、ＮＴＳＣ方式またはＰＡＬ方式のままポータブル機器１０に送信する（ステップＳ３０）。
【００５０】
実施例１によれば、画像処理部２００は、データ方式と表示方式とが異なる画像方式の場合（ステップＳ１６においてＰＡＬ方式、ステップＳ２２においてＮＴＳＣ方式の場合）、画像データの画像方式をポータブル機器１０で表示可能な表示方式に変換し（ステップＳ１８またはステップＳ２４）、画像データをポータブル機器１０に送信（ステップＳ３０）する。一方、データ方式と表示方式とが同じ画像方式の場合（ステップＳ１６においてＮＴＳＣ方式、ステップＳ２２においてＰＡＬ方式の場合）、画像データを変換せず（ステップＳ１８またはステップＳ２６）、画像データをポータブル機器１０に送信する（ステップＳ３０）。これにより、ポータブル機器１０の表示方式がＮＴＳＣ方式またはＰＡＬ方式によらず、ポータブル機器１０は画像を表示することができる。よって、車載機器１００には、表示方式に関係なくポータブル機器１０を装着することができる。
【００５１】
また、ポータブル機器１０が画像方式によらず表示可能な場合（ステップＳ１４において、ＮＴＳＣ方式、ＰＡＬ方式とも可能な場合）、画像処理部２００は、画像データを変換せず（ステップＳ２８）、画像データをポータブル機器１０に送信する。このように、ポータブル機器１０がＮＴＳＣ方式、ＰＡＬ方式とも表示可能な場合は、画像処理部２００は画像データの画像方式を変換せず、余分な処理を行わないことができる。
【００５２】
実施例１では、画像方式として、ＮＴＳＣ方式またはＰＡＬ方式を例に説明した。画像方式は、ＮＴＳＣ方式、ＰＡＬ方式以外にもＳＥＣＡＭ（Ｓｅｑｕｅｎｔｉｅｌ  ｃｏｕｌｅｕｒ  ａ  ｍｅｍｏｉｒｅ）方式でもよい。また、例えばアナログ方式とデジタル方式、または標準テレビ方式と高精細度テレビ方式等の方式でも良い。
【００５３】
実施例１では、表示携帯装置としてポータブルナビ（携帯ナビゲーション装置）である例に説明した。表示携帯装置は画像を表示する携帯装置であればよい。また、画像データとしてＤＶＤ／ＣＶ再生部１３５から出力されたデータを例に説明した。画像データとしては、チューナ、ビデオテープレコーダ、記憶カード等から出力されたデータでもよい。
【００５４】
さらに、実施例１では、画像処理部２００、データ方式検知部２０２、表示方式検知部２０４を、車載機器１００に設ける例について説明したが、ポータブル機器１０に設けるようにしてもよい。この構成の場合、ポータブル機器１０はコネクタ１５０及び３０を介して入力される画像データのデータ方式とポータブル機器１０の表示方式とに基づいて画像データを変換するようにすればよい。実施例１では、電子装置として車載機器を例に説明したが、これに限定されるものではない。
【００５５】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００５６】
【図１】図１（Ａ）、（Ｂ）は実施例１に用いる車載システムの外観を示す模式図である。
【図２】図２はポータブル機器を車載機器から取り外した状態を示す模式図である。
【図３】図３は前面部を車載機器本体に対して傾斜させ、ＣＤ挿排口を露出させた状態を示す模式図である。
【図４】図４は、車載システムの車両への搭載例を示す模式図である。
【図５】図５は、車載システムを示す概略図である。
【図６】図６は本体部の正面模式図である。
【図７】図７（Ａ）から（Ｄ）は本体部に装着されたポータブル機器の表示を示す模式図である。
【図８】図８（Ａ）は、ポータブル機器の正面模式図、上面模式図、下面模式図、左側面模式図、右側面模式図であり、図８（Ｂ）はポータブル機器の背面模式図である。
【図９】図９は、主要なブロックを抜き出して記載したブロック図である。
【図１０】図１０は制御部の制御を示すフローチャートである。である。
【符号の説明】
【００５７】
１０          ポータブル機器
１１          表示部
１００        車載機器
１３５        ＤＶＤ／ＣＤ再生部
１３６        音声調整部
１４０        制御部
１４５        スピーカ
１５０ａ      第１出力端子
２００        画像処理部
２０２        データ方式検出部
２０４        表示方式検出部
【図１】
2008306411.tif 000003
【図２】
2008306411.tif 000004
【図３】
2008306411.tif 000005
【図４】
2008306411.tif 000006
【図５】
2008306411.tif 000007
【図６】
2008306411.tif 000008
【図７】
2008306411.tif 000009
【図８】
2008306411.tif 000010
【図９】
2008306411.tif 000011
【図１０】
2008306411.tif 000012